(57)【要約】【課題】  光ディスクに記録されている映像データに基づく映像の解像度（ＨＤ，ＳＤ）に応じて、適したデモ映像を表示させることで、光ディスクの再生操作時や停止操作時に生じる表示画面の乱れを低減できるディスク再生装置を提供する。【解決手段】ディスク再生装置において、表示制御手段は、直前まで再生されていた第１の映像データに基づく映像（再生映像）の解像度に応じて、第２の映像データに基づく映像（デモ映像）の解像度を変更するようにした。【選択図】図２
2008103869.tif 000002
【特許請求の範囲】
【請求項１】
所定の解像度を有する映像を、所定の表示装置に表示可能で、
ディスク状記録媒体に記録された第１の映像データを読み出すディスク再生手段と、
標準画質の解像度を有するＳＤ映像データと前記標準画質よりも高画質の解像度を有するＨＤ映像データを含む第２の映像データが記録された記憶手段と、
前記ディスク再生手段により読み出された前記第１の映像データに基づく映像を前記表示装置に表示させる一方、前記ディスク再生手段による前記第１の映像データの読み出し処理が停止された場合に前記第２の映像データに基づく映像を前記表示装置に表示させる表示制御手段と、
を備えたディスク再生装置であって、
前記表示制御手段は、直前まで再生されていた前記第１の映像データに基づく映像の解像度に応じて、前記第２の映像データとして前記ＳＤ映像データとＨＤ映像データの何れかを選択し、選択された映像データに基づく映像を前記表示装置に表示させることを特徴とするディスク再生装置。
【請求項２】
所定の解像度を有する映像を、所定の表示装置に表示可能で、
ディスク状記録媒体に記録された第１の映像データを読み出すディスク再生手段と、
第２の映像データを記録された記憶手段と、
前記ディスク再生手段により読み出された前記第１の映像データに基づく映像を前記表示装置に表示させる一方、前記ディスク再生手段による前記第１の映像データの読み出し処理が停止された場合に前記第２の映像データに基づく映像を前記表示装置に表示させる表示制御手段と、
を備えたディスク再生装置であって、
前記表示制御手段は、直前まで再生されていた前記第１の映像データに基づく映像の解像度に応じて、前記第２の映像データに基づく映像の解像度を変更可能であることを特徴とするディスク再生装置。
【請求項３】
前記第２の映像データは、異なる解像度を有する複数の映像データを含み、
前記表示制御手段は、直前まで再生されていた前記第１の映像データに基づく映像の解像度に応じて、前記複数の第２の映像データの中から１の映像データを選択し、選択された第２の映像データに基づく映像を前記表示装置に表示させることを特徴とする請求項２に記載のディスク再生装置。
【請求項４】
前記記憶手段には、標準画質の解像度を有するＳＤ映像データと前記標準画質よりも高画質の解像度を有するＨＤ映像データが少なくとも記録されていることを特徴とする請求項３に記載のディスク再生装置。
【請求項５】
前記表示制御手段は、前記第２の映像データにスケーリング処理を施すことにより直前まで再生されていた前記第１の映像データに基づく映像の解像度と同一の解像度を有する映像を前記表示装置に表示させることを特徴とする請求項２から４の何れかに記載のディスク再生装置。
【発明の詳細な説明】
【技術分野】
【０００１】
本発明は、ＤＶＤやＢｌｕ−ｒａｙ  Ｄｉｓｋ等のディスク状記録媒体に記録されている映像データを再生可能なディスク再生装置に関する。
【背景技術】
【０００２】
近年、ＢＳ／地上ディジタル放送の開始、ディスク状記録媒体の大容量化や光通信サービスの普及に伴い、映像の高精細化が進んでいる。
例えば、現行の地上アナログ放送やＤＶＤ（Digital Versatile Disk／Digital Video Disk）などでは、映像フォーマットが「４８０ｉ」「４８０ｐ」のＳＤ（Standard definition）映像が使用されている。これに対して、ＢＳ／地上ディジタル放送やＢｌｕ−ｒａｙ  Ｄｉｓｃなどでは、映像フォーマットが「１０８０ｉ」「７２０ｐ」「１０８０ｐ」のＨＤ（High Definition）映像が使用されるようになっている。
【０００３】
現状では、ＨＤ映像とＳＤ映像が混在して使用されているので、テレビジョン受像器等の表示装置は、ＨＤ映像とＳＤ映像の何れにも対応できることが要求される。そこで、映像ソースの解像度（例えば、１９２０×１０８０（フルＨＤ）や７２０×４８０（ＳＤ））と表示装置の解像度が異なる場合には、表示装置の解像度に合わせて映像ソースにスケーリング処理を施し、映像の解像度を表示装置の解像度に合わせるようにしている。このスケーリング処理に関する技術としては、例えば、特許文献１，２がある。
【０００４】
【特許文献１】特開２００５−３３８１８５号公報
【特許文献２】特開２００４−２７４７７０号公報
【発明の開示】
【発明が解決しようとする課題】
【０００５】
ところで、ＤＶＤプレイヤー等のディスク再生装置では、ディスク状記録媒体としての光ディスクに記録されている映像データを再生する一方で、光ディスクが再生されていない状態（停止状態）では所定の映像（例えば、デモ映像）を表示させるのが一般的である。このデモ映像の解像度は、例えば、１９２０×１０８０（フルＨＤ）とされる。
【０００６】
このようなディスク再生装置において、ＤＶＤに記録されているＳＤ映像を再生している状態からディスクを停止させた場合は、表示装置に出力される映像信号はＳＤ映像からＨＤ映像へと変化することとなる。また、デモ映像が表示されている停止状態からＤＶＤに記録されているＳＤ映像を再生させた場合は、表示装置に出力される映像信号はＨＤ映像からＳＤ映像へと変化することとなる。
【０００７】
しかしながら、表示装置側では、ディスク再生装置からの入力映像信号が、ＳＤ映像からＨＤ映像へ、又はＨＤ映像からＳＤ映像へと変化することを予測することはできないので、映像信号が切り替わる際に一瞬画角の変化が見えてしまい表示画面が乱れるという不具合がある（図５（ａ）参照）。なお、Ｂｌｕ−ｒａｙ  Ｄｉｓｋに記録されているＨＤ映像を再生する場合は、このような問題は生じない（図５（ｂ）参照）。また、デモ映像の解像度をＳＤとした場合は、Ｂｌｕ−ｒａｙ  Ｄｉｓｋに記録されているＨＤ映像を再生、停止させる際に同様の問題が生じてしまう。
【０００８】
つまり、従来のディスク再生装置においては、デモ用の映像データは一種類しか用意されていないため、再生映像の解像度によって上述した問題が生じることとなる。また、上述した問題は、光ディスクに記録されている映像データを再生、停止させる度に生じるので、一瞬とはいえ視聴者にとっては煩わしいものであり好ましくない。
【０００９】
本発明は、光ディスクに記録されている映像データに基づく映像の解像度（ＨＤ，ＳＤ）に応じて、適したデモ映像を表示させることで、光ディスクの再生操作時や停止操作時に生じる表示画面の乱れを低減できるディスク再生装置を提供することを目的とする。
【課題を解決するための手段】
【００１０】
本発明は、上記目的を達成するためになされたもので、所定の解像度を有する映像（例えば、ＨＤ映像、ＳＤ映像）を、所定の表示装置に表示可能で、ディスク状記録媒体に記録された第１の映像データを読み出すディスク再生手段と、第２の映像データを記録された記憶手段と、前記ディスク再生手段により読み出された前記第１の映像データに基づく映像（再生映像）を前記表示装置に表示させる一方、前記ディスク再生手段による前記第１の映像データの読み出し処理が停止された場合に前記第２の映像データに基づく映像（デモ映像）を前記表示装置に表示させる表示制御手段と、を備えたディスク再生装置であって、前記表示制御手段は、直前まで再生されていた前記第１の映像データに基づく映像の解像度に応じて、前記第２の映像データに基づく映像の解像度を変更可能であることを特徴とする。
【００１１】
具体的には、前記第２の映像データは、異なる解像度を有する複数の映像データ（例えば、ＨＤ映像データ、ＳＤ映像データ）を含み、前記表示制御手段は、直前まで再生されていた前記第１の映像データに基づく映像の解像度に応じて、前記複数の第２の映像データの中から１の映像データを選択し、選択された第２の映像データに基づく映像を前記表示装置に表示させることを特徴とする。
【００１２】
さらに、前記記憶手段には、標準画質の解像度（７２０×４８０）を有するＳＤ映像データと前記標準画質よりも高画質の解像度（例えば、１９２０×１０８０）を有するＨＤ映像データが少なくとも記録されていることを特徴とする。
【００１３】
これにより、ＤＶＤの再生中（ＳＤ映像が表示）に停止操作がなされた場合は、直前まで再生されていた映像の解像度はＳＤであるので、第２の映像データ（デモ用の映像データ）としてＳＤ映像データが選択されて、これに基づくデモ映像が表示装置に表示されることとなる。また、Ｂｌｕ−ｒａｙ  Ｄｉｓｋの再生中（ＨＤ映像が表示）に停止操作がなされた場合は、直前まで再生されていた映像の解像度はＨＤであるので、第２の映像データ（デモ用の映像データ）としてＨＤ映像データが選択されて、これに基づくデモ映像が表示装置に表示されることとなる。
【００１４】
なお、デモ用の第２の映像データは、ＳＤ映像データ、ＨＤ映像データに制限されず、これ以外の解像度を有する映像データを記憶手段に格納するようにしてもよい。これにより、映像のさらなる高精細化が進んだ場合にも対応できる。
【００１５】
またさらに、前記表示制御手段は、前記第２の映像データにスケーリング処理を施すことにより直前まで再生されていた前記第１の映像データに基づく映像の解像度と同一の解像度を有する映像を前記表示装置に表示させることを特徴とする。これにより、直前まで再生されていた再生映像の解像度と、デモ映像の解像度は確実に同じになる。
【発明の効果】
【００１６】
本発明によれば、ディスク再生装置において、表示制御手段は、直前まで再生されていた第１の映像データに基づく映像（再生映像）の解像度に応じて、第２の映像データに基づく映像（デモ映像）の解像度は変更される、すなわち、再生映像とデモ映像の解像度を同じにすることができるので、ディスクの再生操作時又は停止操作時に、再生映像とデモ映像の解像度が異なることに起因して表示画面の乱れが生じるのを低減することができる。
【発明を実施するための最良の形態】
【００１７】
以下、本発明の実施の形態について図面を参照して説明する。
図１は、本発明に係るディスク再生装置１００のブロック図である。本実施形態のディスク再生装置１００では、光ディスクに記録されている映像データに基づいて、異なる解像度を有する映像（例えば、ＨＤ映像とＳＤ映像）をＴＶモニタ等の表示装置に表示することができる。
【００１８】
本実施形態のディスク再生装置１００は、制御部１０と、記憶部２０と、入力部３０と、ディスクドライブ４０と、音声信号処理部５０と、映像信号処理部６０と、を備えて構成されており、各ブロックはバス７０を介してそれぞれ電気的に接続されている。
【００１９】
制御部１０は、各部の制御および所定の演算を行いディスク再生装置１００の動作を制御するＣＰＵ１１と、ＣＰＵ１１の作業用メモリとして用いられるＲＡＭ１２と、ＣＰＵ１１で実行される制御用プログラム等が記録されたＲＯＭ１３と、で構成される。
【００２０】
記憶部２０は、例えば、光ディスクを再生していない停止状態において、ＴＶモニタ等の表示装置にデモ映像を表示させるためのデモ用映像データ（第２の映像データ）を格納されている。
【００２１】
入力部３０は、ディスク再生装置１００の前面パネル或いはリモコン装置に設けられる各種操作ボタンである。この各種操作ボタンを操作することにより、ディスク状記録媒体に記録されている映像データの再生／停止等の処理が実行される。
【００２２】
ディスクドライブ４０は、ディスク状記憶媒体としての光ディスク（例えば、ＤＶＤやＢｌｕ−ｒａｙ  Ｄｉｓｋ）に記録されているディジタル映像音声データを読み出して再生する（ディスク再生手段）。
【００２３】
音声信号処理部５０は、ディスクドライブ４０に装着された光ディスクから読み出されたディジタル音声データに対して、復号処理やサラウンド処理等の各種ディジタル音声処理を行う。そして、所定の音声信号に変換してＡＶアンプやスピーカ等の音声出力装置に出力する。
【００２４】
映像信号処理部６０は、ディスクドライブ４０に装着された光ディスクから読み出されたディジタル映像データ（第１の映像データ）又は記憶部２０に格納されているデモ映像データ（第２の映像データ）に復号処理等のディジタル映像処理を行い、所定の映像信号に変換して表示装置に出力する。これにより、それぞれの映像データに基づく映像（再生映像又はデモ映像）が表示装置に表示される。
【００２５】
本実施形態において、制御部１０は表示制御手段として機能する。例えば、入力部３０からディスク再生を指示する操作信号が入力されることに基づいて、ディスクドライブ４０により光ディスクから第１の映像データを読み出し、読み出された第１の映像データに映像信号処理部６０で所定の処理を施し、第１の映像データに基づく映像（再生映像）を表示装置に表示させる。また、入力部３０からディスク停止を指示する操作信号が入力されることに基づいて、ディスクドライブ４０による第１の映像データの読み出し処理を停止させるとともに、記憶部２０から第２の映像データを読み出し、読み出された第２の映像データに映像信号処理部６０で所定の処理を施し、第２の映像データに基づく映像（デモ映像）を表示装置に表示させる。
【００２６】
このとき、本実施形態に係るディスク再生装置１００では、直前まで再生されていた再生映像の解像度に応じて、ディスクの停止操作時に表示されるデモ映像の解像度を変更するようにしている。
【００２７】
（第１の実施形態）
第１実施形態は、デモ用映像データとして、解像度が７２０×４８０のデモ用ＳＤ映像データと、１９２０×１０８０のデモ用ＨＤ映像データの２種類が記憶部に格納されており、直前まで再生されていた再生映像の解像度に応じて、デモ用映像データの何れかを選択して使用するものである。
【００２８】
図２は、ディスク再生装置１００において実行される第１実施形態に係るデモ画面表示処理を示すフローチャートである。
まず、ステップＳ１０１で、光ディスクに記録されている映像データ（第１の映像データ）が再生中か判定する。そして、光ディスクが再生中であると判定した場合は、ステップＳ１０２に移行する。一方、光ディスクが再生中でないと判定した場合は、そのまま処理を終了する。このとき、表示装置にはデモ映像が表示されることとなるが、デモ用ＨＤ映像データとデモ用ＳＤ映像データの何れに基づくデモ映像としてもよい。例えば、前回使用したデモ用映像データを使用すればよい。
【００２９】
ステップＳ１０２では、光ディスクの再生中に停止操作が行われたか判定する。そして、光ディスクの停止操作が行われたと判定した場合は、ステップＳ１０３に移行する。一方、光ディスクの停止操作は行われていないと判定した場合は、そのまま処理を終了する。このとき、表示装置には、光ディスクから読み出された映像データ（第１の映像データ）に基づく映像（再生映像）が表示されることとなる。
【００３０】
次いで、ステップＳ１０３で直前まで再生されていた再生映像の解像度を取得し、ステップＳ１０４で再生映像がＳＤ映像か判定する。例えば、ＤＶＤが再生されていた場合の再生映像はＳＤ映像となり、Ｂｌｕ−ｒａｙ  Ｄｉｓｋが再生されていた場合の再生映像はＨＤ映像となる。
【００３１】
次いで、ステップＳ１０４で再生映像はＳＤ映像であると判定した場合は、記憶部２０からデモ用ＳＤ映像データを読み出し（ステップＳ１０５）、これに基づくデモ映像を表示装置に表示させる（ステップＳ１０６）。一方、ステップＳ１０４で再生映像はＳＤ映像ではない（つまりＨＤ映像）と判定した場合は、記憶部２０からデモ用ＨＤ映像データを読み出し（ステップＳ１０７）、これに基づくデモ映像を表示装置に表示させる（ステップＳ１０７）。
【００３２】
このように、第１実施形態では、ＤＶＤの再生中（ＳＤ映像が表示）に停止操作がなされた場合は、デモ用映像データとしてＳＤ映像データが選択されて、これに基づくデモ映像が表示装置に表示されることとなる。また、Ｂｌｕ−ｒａｙ  Ｄｉｓｋの再生中（ＨＤ映像が表示）に停止操作がなされた場合は、デモ用の映像データとしてＨＤ映像データが選択されて、これに基づくデモ映像が表示装置に表示されることとなる。
【００３３】
（第２実施形態）
第２実施形態は、デモ用映像データとして、解像度が１９２０×１０８０のデモ用ＨＤ映像データの１種類が記憶部に格納されており、直前まで再生されていた再生映像の解像度に応じて、デモ用映像データにスケーリング処理を施して使用するものである。
【００３４】
図３は、ディスク再生装置１００において実行される第２実施形態に係るデモ画面表示処理を示すフローチャートである。
まず、ステップＳ２０１で、光ディスクに記録されている映像データ（第１の映像データ）が再生中か判定する。そして、光ディスクが再生中であると判定した場合は、ステップＳ２０２に移行する。一方、光ディスクが再生中でないと判定した場合は、そのまま処理を終了する。このとき、表示装置にはデモ用ＨＤ映像データに基づくデモ映像が表示されることとなる。
【００３５】
ステップＳ２０２では、光ディスクの再生中に停止操作が行われたか判定する。そして、光ディスクの停止操作が行われたと判定した場合は、ステップＳ２０３に移行する。一方、光ディスクの停止操作は行われていないと判定した場合は、そのまま処理を終了する。このとき、表示装置には、光ディスクから読み出された映像データ（第１の映像データ）に基づく映像（再生映像）が表示されることとなる。
【００３６】
次いで、ステップＳ２０３で直前まで再生されていた再生映像の解像度を取得し、ステップＳ２０４で再生映像がＳＤ映像か判定する。例えば、ＤＶＤが再生されていた場合の再生映像はＳＤ映像となり、Ｂｌｕ−ｒａｙ  Ｄｉｓｋが再生されていた場合の再生映像はＨＤ映像となる。
【００３７】
次いで、ステップＳ２０４で再生映像はＳＤ映像であると判定した場合は、記憶部２０からデモ用ＨＤ映像データを読み出して、このデモ用ＨＤ映像データの解像度をＳＤ解像度に変更するスケーリング処理を施し（ステップＳ２０５）、これに基づくデモ映像を表示装置に表示させる（ステップＳ２０６）。一方、ステップＳ２０４で再生映像はＳＤ映像ではない（つまりＨＤ映像）と判定した場合は、記憶部２０からデモ用ＨＤ映像データを読み出し、これに基づくデモ映像を表示装置に表示させる（ステップＳ２０７）。
【００３８】
このように、第２実施形態では、ＤＶＤの再生中（ＳＤ映像が表示）に停止操作がなされた場合は、デモ用ＨＤ映像データからデモ用ＳＤ映像データが生成され、これに基づくデモ映像が表示装置に表示されることとなる。また、Ｂｌｕ−ｒａｙ  Ｄｉｓｋの再生中（ＨＤ映像が表示）に停止操作がなされた場合は、デモ用ＨＤ映像データに基づくデモ映像が表示装置に表示されることとなる。
【００３９】
このように、第１及び第２の実施形態に係るディスク再生装置において、ＤＶＤに記録されているＳＤ映像を再生している状態からディスクを停止させた場合は、デモ映像もＳＤ映像となるので、表示装置に出力される映像信号に変化はない。また、デモ映像が表示されている停止状態からＤＶＤに記録されているＳＤ映像を再生させた場合も、表示装置に出力される映像信号に変化はない（図４（ａ）参照）。
同様に、Ｂｌｕ−ｒａｙ  Ｄｉｓｋに記録されているＨＤ映像を再生／停止させる場合も、表示装置に出力される映像信号に変化はない（図４（ｂ）参照）。
【００４０】
したがって、本実施形態のディスク再生装置によれば、光ディスクの再生操作時や停止操作時に生じる表示画面の乱れを確実に低減することができる。
【００４１】
以上、本発明者によってなされた発明を実施形態に基づいて具体的に説明したが、本発明は上記実施形態に限定されるものではなく、その要旨を逸脱しない範囲で変更可能である。
例えば、第１実施形態において、デモ用ＨＤ映像データとして、解像度が１９２０×１０８０の映像データや、解像度が１２８０×７２０の映像データを用意するようにしてもよい。この場合、再生映像がＳＤ映像かＨＤ映像かに応じてデモ用映像データを選択するのではなく、再生映像の解像度に応じて、例えば再生映像の解像度が高いときは１９２０×１０８０のデモ用映像データを、低いときは１２８０×７２０のデモ用映像データを選択すればよい。
【００４２】
また、上記第１及び第２実施形態を組み合わせるようにしてもよい。
【図面の簡単な説明】
【００４３】
【図１】本発明の一実施形態に係るディスク再生装置の構成を示すブロック図である。
【図２】ディスク再生装置１００において実行される第１実施形態に係るデモ画面表示処理を示すフローチャートである。
【図３】ディスク再生装置１００において実行される第２実施形態に係るデモ画面表示処理を示すフローチャートである。
【図４】本実施形態に係るディスク再生装置において、光ディスクの再生操作／停止操作を行ったときの表示画面（表示装置）の説明図である。
【図５】従来のディスク再生装置において、光ディスクの再生操作／停止操作を行ったときの表示画面（表示装置）の説明図である。
【符号の説明】
【００４４】
１０  制御部（表示制御手段）
２０  記憶部（記憶手段）
３０  入力部
４０  ディスクドライブ（ディスク再生手段）
５０  音声信号処理部
６０  映像信号処理部
７０  バス
１００  ディスク再生装置
【図１】
2008103869.tif 000003
【図２】
2008103869.tif 000004
【図３】
2008103869.tif 000005
【図４】
2008103869.tif 000006
【図５】
2008103869.tif 000007